(57)【特許請求の範囲】
【請求項１】
複合映像信号より分離された輝度信号（Ｙ）の映像状態を明暗制御信号ＣＣに従い調節する映像信号処理装置において、
前記輝度信号（Ｙ）から白黒の対比の大きい高周波領域を検出してゲートパルス（ＧＰ）を出力するゲートパルス発生部と、
検出されたゲートパルス（ＧＰ）に従って前記輝度信号の明暗処理を調節する輝度信号処理部と、を備えて、前記ゲートパルス（ＧＰ）がローレベルであるとき前記明暗制御信号（ＣＣ）により前記輝度信号の明暗処理を行い、前記ゲートパルス（ＧＰ）がハイレベルであるとき相対的に前記輝度信号の明暗処理を低減させることを特徴とする映像信号処理装置。
【請求項２】
上記ゲートパルス発生部は、
前記輝度信号（Ｙ）をハイレベル及びローレベルにスライシングするハイレベル及びローレベルスライシング部と、
それらハイレベル及びローレベルスライシング部の出力から高周波領域のみをそれぞれ検出する第１，第２高周波検出部と、
それら第１，第２高周波検出部の出力を論理積し、白黒の対比の大きい周波数領域に該当するゲートパルス（ＧＰ）を出力するＡＮＤゲートと、を備えて構成されたことを特徴とする請求項１記載の映像信号処理装置。
【請求項３】
上記輝度信号処理部は、明暗制御信号（ＣＣ）及びゲートパルス（ＧＰ）により輝度信号（Ｙ）の明暗を調節するコントラスト増幅器により構成されたことを特徴とする請求項１記載の映像信号処理装置。
【請求項４】
上記コントラスト増幅器の利得は、ゲートパルス（ＧＰ）がハイレベルであるとき正常利得より減少されることを特徴とする請求項３記載の映像信号処理装置。
【発明の詳細な説明】
【０００１】
【発明の属する技術分野】
本発明は、映像信号処理装置に係るもので、詳しくは、白黒の対比（コントラスト）の大きい高周波信号により発生する画面のちらつく現象を効果的に除去し得る映像信号処理装置に関するものである。
【０００２】
【従来の技術】
従来の映像信号処理装置においては、図４に示したように、映像制御信号ＶＣにより複合映像信号から分離された輝度信号Ｙの映像状態（明るさ、明暗、...）等を調節する輝度信号処理部１を備えて構成されていた。
【０００３】
ここで、上記輝度信号処理部１はアンテナ及びチューナーを介して入力された複合映像信号から輝度信号Ｙを分離する映像信号分離部（図示されず）と上記輝度信号Ｙから原色信号（Ｒ，Ｇ，Ｂ）を分離するマトリックス（図示されず）との間に接続されており、上記映像制御信号（ＶＣ）は映像信号の明暗及び明るさを制御する信号である。
【０００４】
このように構成された従来の映像信号処理装置の動作は次のようであった。
【０００５】
先ず、映像信号分離部（図示されず）はアンテナ及びチューナーを介して入力された複合映像信号から輝度信号Ｙを分離し、マイクロプロセッサ（図示されず）は映像の明るさ及び明暗等を調節する映像制御信号ＶＣを出力する。
【０００６】
次いで、輝度信号処理部１は上記映像制御信号ＶＣにより上記輝度信号Ｙの映像状態（明るさ、明暗、...）を自動的に調節し、マトリックス部（図示されず）に出力された後、上記映像状態の調節された輝度信号Ｙは該マトリックス部から原色信号（Ｒ，Ｇ，Ｂ）に分離されて画面に表示されるようになっていた。
【０００７】
【発明が解決しようとする課題】
然るに、このような従来の映像信号処理装置においては、輝度信号Ｙが輝度信号処理部１から明暗処理されるとき、高周波領域は他の周波数領域より白黒の対比の程度が相対的に甚だしくなるため、輝度信号Ｙが画面上でちらつくように画面表示されるという不都合な点があった。
【０００８】
本発明は、このような従来の課題に鑑みてなされたもので、輝度信号の高周波領域のみを感知し、該感知された高周波領域の明暗処理を相対的に低減させて、高周波領域において画面がちらつく現象を除去し得る映像信号処理装置を提供することを目的とする。
【０００９】
【課題を解決するための手段】
このような目的を達成するため、本発明に係る映像信号処理装置においては、複合映像信号より分離された輝度信号から高周波領域を感知し、該感知された高周波領域に該当するゲートパルスを出力するゲートパスル発生部と、該ゲートパルス発生部から出力されたゲートパルスにより輝度信号の高周波領域の明暗処理の強度を調節する輝度信号処理部と、から構成されている。
【００１０】
【発明の実施の形態】
以下、本発明に係る実施の形態に対し、図面を用いて説明する。
【００１１】
本発明に係る映像信号処理装置においては、図１に示したように、複合映像信号より分離された輝度信号Ｙから高周波領域を感知し、該感知された高周波領域に該当するゲートパルスＧＰを出力するゲートパスル発生部１０と、該ゲートパルス発生部１０から出力されたゲートパルスＧＰにより上記輝度信号の高周波領域の明暗処理の強度を調節する輝度信号処理部２０と、から構成されている。
【００１２】
そして、上記ゲートパルス発生部１０は、輝度信号Ｙから白黒の対比の大きい信号のみを検出するため、上記輝度信号Ｙをハイレベル及びローレベルにスライシング（Slicing）するハイレベル及びローレベルスライシング部１０−１，１０−２と、それらハイレベル及びローレベルスライシング部１０−１，１０−２の出力から高周波領域のみをそれぞれ検出する第１，第２高周波検出部１０−３，１０−４と、それら第１，第２高周波検出部１０−３，１０−４の出力を論理積し、白黒の対比の大きい周波数領域に該当するゲートパルスＧＰを出力するＡＮＤゲート１０−５と、を備えて構成されている。
【００１３】
且つ、上記輝度信号処理部２０は、図２に示したように、明暗制御信号ＣＣ及びゲートパルスＧＰにより上記輝度信号Ｙの増幅利得が可変するコントラスト増幅器により構成される。
【００１４】
このように構成された本発明に係る映像信号処理装置の動作を説明すると次のようである。
【００１５】
先ず、図３（Ａ）に示したように、映像信号分離部（図示されず）から出力された輝度信号Ｙｉｎがゲートパルス発生部１０に入力すると、ハイレベル及びローレベルスライシング部１０−１，１０−２は上記輝度信号Ｙをハイレベル及びローレベルにそれぞれスライシングして、図３（Ｂ）、（Ｃ）に示したように、白黒の対比の大きい高周波信号のみを検出する。
【００１６】
このとき、上記輝度信号Ｙをハイレベル及びローレベルにスライシングする理由は、高周波信号であっても白黒の対比の小さい領域は除去するためである。
【００１７】
次いで、上記各ハイレベル及びローレベルスライシング部１０−１，１０−２でスライシングされた信号は、図３（Ｄ）、（Ｅ）に示したように、第１，第２高周波検出部１０−３，１０−４で高周波領域のみがそれぞれゲーティング（Gating）されたパルス信号ＰＳ１，ＰＳ２が出力され、それらパルス信号ＰＳ１，ＰＳ２はＡＮＤゲート１０−５により論理積されて、図３（Ｆ）に示したように、白黒の対比の大きい高周波領域に該当するゲートパルスＧＰが最終的に生成される。
【００１８】
従って、輝度信号処理部２０は上記ゲートパルスＧＰがローレベルであるときは明暗制御信号ＣＣにより前記輝度信号Ｙの明暗処理を行い、又、ゲートパルスＧＰがハイレベルであるときは前記輝度信号Ｙの明暗処理を低減させるようになる。
【００１９】
即ち、ゲートパルスＧＰがローレベルであるとき、明暗制御信号ＣＣによるコントラスト増幅器の正常利得を１０と仮定すると、ゲートパルスＧＰがハイレベルであるときのコントラスト増幅器の利得は５になって、ハイレベルのゲートパルスＧＰ区間の間、上記輝度信号Ｙの明暗処理を相対的に低減させるようになる
【００２０】
従って、上記輝度信号Ｙから白黒の対比の大きい高周波領域の明暗が相対的に低減されるため、上記輝度信号処理部２０からの出力がマトリックス（図示されず）及び偏向部（図示されず）を介して画面に表示される場合、高周波領域の画面のちらつく現象が除去されるようになる。
【００２１】
そして、前述した実施例は単なる例であって本発明を限定するものではなく、本発明は請求範囲内で多様な形態に変更して使用することができる。
【００２２】
【発明の効果】
以上説明したように、本発明に係る映像信号処理装置においては、輝度信号の高周波領域のみを感知し、該感知された高周波領域の明暗処理を相対的に低減させて高周波領域における画面のちらつく現象を除去し得るという効果がある。
【００２３】
更に、請求項１の発明に係る装置によれば、ゲートパルスＧＰにより輝度信号の高周波領域の明暗処理を低減し得るという効果がある。
【００２４】
請求項２の発明に係る装置によれば、輝度信号Ｙから白黒の対比の大きい信号のみを検出するため、高周波領域に該当するゲートパルスＧＰを生成し得るという効果がある。
【００２５】
請求項３及び４の発明に係る装置によれば、ゲートパルスＧＰがハイレベルであるときはコントラスト増幅器の利得が低減されるため、高周波領域の間、輝度信号の明暗処理を低減し得るという効果がある。
【図面の簡単な説明】
【図１】本発明に係る映像信号処理装置を示したブロック図である。
【図２】図１の輝度信号処理部２０を示した構成図である。
【図３】図１のゲートパルス発生部１０における各部の入出力を示した波形図である。
【図４】従来の映像信号処理装置を示したブロック図である。
【符号の説明】
１０：ゲートパルス発生部
１０−１：ハイレベルスライシング部
１０−２：ローレベルスライシング部
１０−３：第１高周波検出部
１０−４：第２高周波検出部
１０−５：ＡＮＤゲート
２０：輝度信号処理部
【図１】
0004164170.tif 000002
【図２】
0004164170.tif 000003
【図３】
0004164170.tif 000004
【図４】
0004164170.tif 000005